(57)【要約】【課題】ファンフォールド紙の交換作業を容易にし、短時間で交換作業を済ませられるようにした携帯型電子機器を提供することを目的とする。【解決手段】ファンフォールド紙をあらかじめ携帯可能な紙保持ケース１５に入れ、用紙の先端部１３をホルダ部２の保持部９に挟んでセットしておくことで、検針現場でファンフォールド紙を交換する際に、ファンフォールド紙の使い出しの先端部を引き出す動作が容易になり、ファンフォールド紙の交換作業時間が短縮できることを特徴とする。【選択図】図２
2009166263.tif 000002
【特許請求の範囲】
【請求項１】
印刷機能を有する筐体に取り付けられて、前記印刷で使用する連続した用紙を出し入れ可能に収納するケース部と、
該ケース部の一部を開閉可能に為すホルダ部と、
を備えた紙保持ケースにおいて、
前記ホルダ部は、前記用紙の端部を引き出した状態で固定する保持部を有することを特徴とする紙保持ケース。
【請求項２】
前記ケース部は係合部を有し、
前記ホルダ部は、前記係合部と係合するための被係合部を、さらに有することを特徴とする請求項１に記載の紙保持ケース。
【請求項３】
前記被係合部は、
前記被係合部と前記係合部とを係合した際に、
前記ケース部と前記ホルダ部とで前記用紙の端部を挟持するように、
前記用紙の引き出し方向に対して前記保持部より外側に位置することを特徴とする請求項１または請求項２に記載の紙保持ケース。
【請求項４】
前記連続した用紙は、ファンフォールド紙を用いることを特徴とする請求項１から請求項３の何れかに記載の紙保持ケース。
【請求項５】
前記紙保持ケースは、
前記ホルダ部が前記ケース部内に収納可能、またはケース部外面に保持可能であるか、
前記ケース部が折りたたみ可能な部材で構成されているか、
少なくとも何れかの構成を備えていることを特徴とする、請求項１から請求項４の何れかに記載の紙保持ケース。
【請求項６】
請求項１から請求項５の何れかに記載の紙保持ケースを備えたことを特徴とする、印刷機能を有する携帯型電子機器。
【発明の詳細な説明】
【技術分野】
【０００１】
本発明は、ガス・水道・電力等の自動計量器が示す使用量を定期的に検針し、検針結果を使用者に知らせるため、検針現場で検針結果を専用用紙へ出力するハンディターミナルや、携帯型プリンタなどの、携帯型電子機器に取り付け可能な紙保持ケースに関するものである。
【背景技術】
【０００２】
従来から、ガス・水道・電力等の検針において、ハンディターミナル等の携帯型電子機器が使用されている。検針者は、ガス・水道・電力等の自動計量器から使用量を読み取り、ハンディターミナルに検針結果を入力し、ハンディターミナルと一体となっているプリンタから専用用紙へ出力し、プリンタから切り離して検針結果を使用者に渡す。専用用紙はロール形であるロール紙や蛇腹形であるファンフォールド紙等がある。例えば特許文献１では、複数種類の用紙を収納可能にした用紙ケースを装着可能なハンディターミナルを提案している。
【特許文献１】特開２００１−３１６０００号  公報
【発明の開示】
【発明が解決しようとする課題】
【０００３】
ところで、検針業務の作業の中では、屋外の検針現場で専用用紙の交換作業が発生する。特に、ファンフォールド紙の交換に関しては、用紙交換手順が多く、交換作業に時間がかかるため、交換作業の短縮化が求められている。例えば、ファンフォールド紙を包装から取り出し、折りたたんだ後に、ハンディターミナルの背面に付属する外装ケースに収め、ファンフォールド紙の1枚目を引き出してプリンタに差し込むといった、煩雑な作業を行う必要があった。特に用紙の交換作業では、用紙の使い出しの端部を引き出しにくいという問題があった。
従って本発明は上記の課題を解消するためになされたものであり、印刷に使用する連続した用紙の交換を容易にした紙保持ケースを提供することを目的とする。
【課題を解決するための手段】
【０００４】
上記の課題を解決するための手段として、本願は以下のように形成した紙保持ケースを提供する。
すなわち、請求項１に記載の発明は、印刷機能を有する筐体に取り付けられて、前記印刷で使用する連続した用紙を出し入れ可能に収納するケース部と、該ケース部の一部を開閉可能に為すホルダ部と、を備えた紙保持ケースにおいて、前記ホルダ部は、前記用紙の端部を引き出した状態で固定する保持部を有することを特徴とする。
【発明の効果】
【０００５】
本発明の紙保持ケースによれば、下記のような効果が得られる。
すなわち、用紙の端部を保持部に固定して持ち歩くことができることにより、用紙の端部が紙保持ケース内に引っ込んでしまうことを防止できる。よって、予め用紙をセットして持ち運び、必要時に紙保持ケースを筐体に取り付けるだけの簡単な作業によって、交換作業を済ませることができる紙保持ケースを提供することができる。
また、他の発明では、被係合部と係合部とを係合した際に、ケース部とホルダとで用紙の先端部を挟持するような構成にすることにより、紙保持ケースを持ち運んでも、用紙をより固定的に保持する紙保持ケースを提供することができる。
また、他の発明では、使用後の紙保持ケースが折りたためることにより、持ち運びが容易となる。
【発明を実施するための最良の形態】
【０００６】
以下、本発明の実施形態を、図面を参照しながら詳述する。図中、同じ符号は各図を通して共通である。また、本発明の実施形態では、印刷機能を有する筐体の一例としてハンディターミナルを用いて説明するが、他にも印刷機能を有する筐体であれば良く、本実施の形態に限らない。また、印刷で使用する連続した用紙については、本実施例では紙保持ケースがより小型に構成できるファンフォールド紙を用いて説明するが、他にも、ロール紙など、連続的に使用する用紙に用いることが可能であり、本実施の形態に限らない。
【０００７】
紙保持ケース１５は、ケース部８とホルダ部２によって構成されている。なお、ケース部とホルダ部は、本実施例では一体に形成されているものを用いて説明しているが、別部材として形成しても良く、本発明の主旨の範囲で応用、変更することが可能である。
【０００８】
図１は、本発明の実施形態に係る一例のハンディターミナル１の斜視図である。ハンディターミナル１は、入力された結果をプリンタ３から専用用紙であるファンフォールド紙４に出力する携帯型電子機器である。このハンディターミナル１は、筐体５を有し、筐体５の前面に、液晶表示装置６と入力キー７を備えている。
さらにハンディターミナル１は、筐体５の背面に、入力結果を出力するファンフォールド紙４を保持する紙保持ケース１５をセットする外装ケース１４を備えている。このように本実施の形態では、図１に示すように、ハンディターミナル１の筐体５の背面に、合成樹脂等で形成された外装ケース１４が、本発明の紙保持ケース１５とは別に予め取り付けられており、その中に本発明の紙保持ケース１５を挿入してセットする構成としているが、紙保持ケース１５を直接筐体５に取り付け可能に構成しても良く、外装ケース１４は本発明の本旨ではなく、取り付けは任意である。
また、図中には記載されていないが、ハンディターミナル１は持ち運びしやすいように合成皮革等でできたキャリングケースで機器全体を包んでいるため、屋外で使用しても、ケース部８内のファンフォールド紙４に水滴や塵等が付着するといった問題を回避できる。
【０００９】
次に本発明の実施形態に係る紙保持ケース１５の一例の構造について、図２を用いて説明する。
紙保持ケース１５は、用紙の使用が終わった後持ち運びしやすいように、折りたたみ可能な部材、または構造によって形成することができる。ケース部８は、プリンタに使用する連続した用紙を収納するのに適したように形成されている。
ホルダ部２は、ケース部８の一部を、本実施例ではファンフォールド紙４を出し入れする口を、開閉可能にする。例えば、ホルダ部２は、図１、図２、図３に示すように湾曲して、ケース部８の口を開閉する。また、ホルダ部２は折りたたみ可能な部材で構成され、例えば合成皮革や紙類等で形成することができる。
また、ホルダ部２は、ファンフォールド紙４の使い始めの先端部１３を挟み込むことでホルダ部２に用紙の先端部１３を固定可能にする保持部９を有している。なお、保持部の構成としては他にも、用紙が着脱可能な糊等をホルダ部２に貼付しても良いし、クリップ等を設けても良いし、また、保持部の位置についても、ホルダ部２の左右に設けても良く、その他用紙の端部を引き出した状態で固定できる構成であれば良く、本実施の形態に限らない。
さらに、ホルダ部２は、保持部９と同じ経路内で、かつ用紙の引き出し方向に対して保持部９より外側に、ケース部８に有する係合部１１と係合するための被係合部１０を有している。なお、本実施例では、被係合部１０を爪状に形成し、係合部１１を、被係合部１０に対応するようなベルト状に形成しているが、互いを係合し合うものであればよく、本実施の形態に限らない。
【００１０】
次に、ファンフォールド紙４の交換作業時の、紙保持ケース１５の一例の使用形態について説明する。
新たなファンフォールド紙４の先端部１３を引き出した状態で予め手にとっておき、ファンフォールド紙４をケース部８内に収納したら、先端部１３を保持部９に挟み込んでおく。
そして、携帯時はその状態のまま、被係合部１０を係合部１１に差し込み係合しておく。
こうすることで、ホルダ部２におけるファンフォールド紙４の経路にあたる部分が、ファンフォールド紙４の先端部１３を保持部９に挟持したまま湾曲し、ケース部８の口を開閉可能にする蓋となる。
これによって、紙保持ケース１５を持ち運びしてもファンフォールド紙４の先端部１３が保持部９から外れることなく携帯できる。またこのとき、ケース部８とホルダ部２とでファンフォールド紙４を挟み込んでいることによって、より固定的にファンフォールド紙４を保持することができる。
【００１１】
このようにして予めセットした紙保持ケース１５を持ち運び、用紙交換の必要時に紙保持ケース１５ごと取り付け交換することで、屋外などでの用紙交換を簡単でスムーズに行うことができる。また、先端部１３が挟持されているため、ファンフォールド紙４がケース部８内に入り込んでしまい、屋外で取り出さなくてはならないなどの煩雑な作業を防ぐことができる。
【００１２】
ファンフォールド紙４の交換に関しては、ファンフォールド紙４を包装から取り出し、折りたたんだ後に、ハンディターミナル１の背面に付属する外装ケース１４に収める等といった作業が、あらかじめファンフォールド紙４をセットして用意した紙保持ケース１５ごと、外装ケース１４に挿入して交換するだけで交換作業が済み、屋外でも作業がしやすくなる。
【００１３】
次に、本発明の実地形態に係る紙保持ケース１５の交換後の構造について図４を用いて説明する。
ファンフォールド紙４を筐体５に交換後、用紙の先端部１３を挟持する必要がなくなったら、ホルダ部２は、ケース部８内に折りたたみ可能に形成すれば、ハンディターミナルの使用時にホルダ部２が作業の邪魔にならないため好適である。図５はケース部８とホルダ部２を折りたたんだときの一例の図である。
また、ホルダ部２の取り付け交換後の収納については、他にも、ホルダ部２をケース部８内に上下方向にスライド可能に形成し収納しても良い。また他にも、ホルダ部２は、ケース部８の、筐体５に対向する面とは反対側の背面に反って湾曲可能で、かつ該背面に、被係合部１０を利用してホルダ部２を係合して保持できるようなベルトや穴などを形成しても良く、本実施の形態に限らない。
また、ファンフォールド紙４が使い終わって、ケース部８内が空になったら、ケース部８は、ケース側面１２をケース部８の内側に織り込んでたたむことが可能で、使用後もコンパクトに持ち運びが可能である。
【００１４】
以上、本発明の実施形態を図面に沿って説明したが、本発明は前記実施形態において示された事項に限定されず、特許請求の範囲及び発明の詳細な説明の記載、並びに周知の技術に基づいて、その変更・応用を行うことができる範囲が含まれる。
【図面の簡単な説明】
【００１５】
【図１】本発明の実施の形態に係る携帯型電子機器の外観を示す斜視図である。
【図２】本発明の実施の形態に係る紙保持ケースの斜視図である。
【図３】本発明の実施の形態に係る携帯時の紙保持ケースの斜視図である。
【図４】本発明の実施の形態に係る紙保持ケースを折りたたむ途中を示す図である。
【図５】本発明の実施の形態に係る紙保持ケースを折りたたんだ状態を示す図である。
【符号の説明】
【００１６】
１  ハンディターミナル    
２  ホルダ部              
３  プリンタ              
４  ファンフォールド紙    
５  筐体                  
６  液晶表示装置          
７  入力キー              
８  ケース部              
９    保持部              
１０  被係合部            
１１  係合部              
１２  ケース側面          
１３  先端部              
１４  外装ケース          
１５  紙保持ケース        
【図１】
2009166263.tif 000003
【図２】
2009166263.tif 000004
【図３】
2009166263.tif 000005
【図４】
2009166263.tif 000006
【図５】
2009166263.tif 000007